(57)【要約】  イエローリング現象を緩和することができるヘッドアップディスプレイ装置を提供する。  ヘッドアップディスプレイ装置は、白色光源１９と、白色光源１９からの光Ｌｗが透過する第１のレンズ２１と、第１のレンズ２１に形成され、光Ｌｗの第１のレンズ２１への入射角度αが大きくなるにつれて、光Ｌｗに含まれる赤色波長成分Ｌｒ及び緑色波長成分Ｌｇの反射率を光Ｌｗに含まれる青色波長成分Ｌｂの反射率に対して増加させる誘電体多層膜である反射防止膜２８ａ，２８ｂと、を備える。
2019087912.tif 000002
【特許請求の範囲】
【請求項１】
白色光源と、
前記白色光源からの光が透過するレンズと、
前記レンズに形成され、前記光の前記レンズへの入射角度が大きくなるにつれて、前記光に含まれる赤色波長成分及び緑色波長成分の反射率を前記光に含まれる青色波長成分の反射率に対して増加させる誘電体多層膜と、を備える、
ヘッドアップディスプレイ装置。
【請求項２】
前記レンズを含む複数のレンズを備え、
前記誘電体多層膜が形成される前記レンズは、前記複数のレンズのうち前記白色光源に最も近い位置に設けられる、
請求項１に記載のヘッドアップディスプレイ装置。
【請求項３】
前記白色光源は、
青色光を出射する青色光源素子と、
前記青色光源素子からの前記青色光が透過することにより前記光として白色光を生成する黄色蛍光体と、を備える、
請求項１又は２に記載のヘッドアップディスプレイ装置。
【請求項４】
前記レンズは、互いに隣接して配置される複数の凸レンズ部を備え、
複数の前記白色光源は、それぞれ前記複数の凸レンズ部に対向して位置する、
請求項１から３のいずれか１項に記載のヘッドアップディスプレイ装置。
【請求項５】
前記レンズから出射した光により照明されることにより表示光を出射する液晶表示パネルと、
前記表示光を投射部材に向けて反射する凹面鏡と、を備える、
請求項１から４のいずれか１項に記載のヘッドアップディスプレイ装置。
【発明の詳細な説明】
【技術分野】
【０００１】
本発明は、ヘッドアップディスプレイ装置に関する。
【背景技術】
【０００２】
従来から、例えば、特許文献１に記載されるように、白色の光を出射する白色ＬＥＤ（Light Emitting Diode）光源と、白色ＬＥＤ光源からの光を略平行化するレンズと、レンズを経た光により照明される液晶表示パネルと、を備えるヘッドアップディスプレイ装置が知られている。
【先行技術文献】
【特許文献】
【０００３】
【特許文献１】特開２０１６−２１８３９１号公報
【発明の概要】
【発明が解決しようとする課題】
【０００４】
しかしながら、上記特許文献１の構成では、後述する種々の原因により、図１２に示すように、白色ＬＥＤ光源１１９から出射された光の周縁部９０が中心部９１に比べて黄色味を帯びるイエローリング現象が生じて照明ムラとなる。【０００５】
本発明は、上記実状を鑑みてなされたものであり、イエローリング現象を緩和できるヘッドアップディスプレイ装置を提供することを目的とする。
【課題を解決するための手段】
【０００６】
上記目的を達成するため、本発明に係るヘッドアップディスプレイ装置は、白色光源と、前記白色光源からの光が透過するレンズと、前記レンズに形成され、前記光の前記レンズへの入射角度が大きくなるにつれて、前記光に含まれる赤色波長成分及び緑色波長成分の反射率を前記光に含まれる青色波長成分の反射率に対して増加させる誘電体多層膜と、を備える。
【発明の効果】
【０００７】
本発明によれば、ヘッドアップディスプレイ装置において、イエローリング現象を緩和することができる。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の模式的な断面図である。
【図３】本発明の一実施形態に係る白色光源の模式図である。
【図４】白色光源の発光面を示す模式図である。
【図５】本発明の一実施形態に係る第１のレンズの斜視図である。
【図６】本発明の一実施形態に係る第３のレンズの平面図、側面図及び正面図である。
【図７】本発明の一実施形態に係る第１のレンズに反射防止膜が形成されている場合の白色光源からの光の光路を示す図である。
【図８】レンズに反射防止膜が形成されていない場合の白色光源からの光の光路を示す図である。
【図９】本発明の一実施形態に係る反射防止膜における波長と反射率との関係を示すグラフである。
【図１０】本発明の一実施形態に係る入射角度が変化した場合の波長と反射率との関係を模式的に示すグラフである。
【図１１】本発明の一実施形態に係る反射防止膜における光の入射角度と各色成分の反射率との関係を示すグラフである。
【図１２】イエローリング現象を示す模式図である。
【図１３】第１のレンズの各凸レンズ部のイエローリング現象を示す模式図である。
【発明を実施するための形態】
【０００９】
本発明に係るヘッドアップディスプレイ装置（以下、ＨＵＤ装置と呼ぶ）の一実施形態について、図面を参照して説明する。以下では、Ｘ方向は車両の前後方向に一致し、Ｙ方向は車両の幅方向に一致し、Ｚ方向は車両の高さ方向に一致する。
【００１０】
図１に示すように、ＨＵＤ装置１０は、例えば、車両２００のダッシュボード内に設置される。ＨＵＤ装置１０は、車両２００の投射部材の一例であるフロントガラス２０１に向けて車両情報を含む画像を表す表示光Ｌを出射する。視認者１（例えば車両２００の運転者）は、フロントガラス２０１を反射した表示光Ｌを受けることによりフロントガラス２０１を通して車両情報を含む虚像Ｖを視認可能となる。
【００１１】
図２に示すように、ＨＵＤ装置１０は、表示装置１１と、凹面鏡２０と、ハウジング３０と、放熱部材４０と、を備える。
【００１２】
ハウジング３０は、光不透過性樹脂又は光不透過性金属で形成されるとともに、中空の略直方体をなす。ハウジング３０は、Ｚ方向においてフロントガラス２０１に対向する位置に開口部３０ａが形成されている。この開口部３０ａには、表示光Ｌが通過するアクリルなどの光透過性樹脂からなる湾曲板状の窓部３１が嵌め込まれている。
【００１３】
放熱部材４０は、ハウジング３０の外部に露出するように表示装置１１に固定されている。放熱部材４０は、例えばアルミニウム等の金属又は熱伝導性樹脂により形成される。放熱部材４０は、表示装置１１が発する熱を外部に放出する。
【００１４】
表示装置１１は、照明装置１１ａと、照明装置１１ａにより照明されることにより表示光Ｌを出射する液晶装置１１ｂと、を備える。
照明装置１１ａは、第１〜第３のレンズ２１〜２３と、複数の白色光源１９と、回路基板１６と、第１のケース体１４と、反射防止膜（ＡＲコーティング：Anti Reflection Coating）２８ａ，２８ｂと、を備える。
【００１５】
回路基板１６は、長方形板状に形成されるプリント基板である。回路基板１６の一方の面は放熱部材４０に面接触し、回路基板１６の他方の面には複数の白色光源１９が実装されている。
【００１６】
各白色光源１９は、例えば、表面実装型の白色ＬＥＤからなり、ほぼ白色の光Ｌｗを出射する。白色光源１９は、回路基板１６上に、マトリックス状に配置されている。本例では、白色光源１９は、２行×６列のマトリックス状に配置される。なお、本例では、行方向はＺ方向であり、列方向はＹ方向である。
【００１７】
図３に示すように、白色光源１９は、青色ＬＥＤ素子である青色光源素子１９ａと、黄色蛍光体１９ｂと、パッケージ１９ｃと、を備える。パッケージ１９ｃは、光不透過性金属又は光不透過性樹脂により形成され、収容凹部１９ｄを備える。収容凹部１９ｄの底面には、白色光源１９が設けられ、収容凹部１９ｄ内には黄色蛍光体１９ｂが充填されている。青色光源素子１９ａは、青色光を黄色蛍光体１９ｂに出射する。黄色蛍光体１９ｂは、青色光源素子１９ａからの青色光の波長を変化させることによりほぼ白色の光Ｌｗを生成し、その光Ｌｗを外部に放射する。
【００１８】
図２に示すように、第１のケース体１４は、例えば、光不透過性樹脂にて長方形の筒状に形成される。第１のケース体１４は、その内部空間に複数の白色光源１９が実装された回路基板１６と第１〜第３のレンズ２１〜２３を保持する。
【００１９】
第１〜第３のレンズ２１〜２３は、白色光源１９に近い位置から第１のレンズ２１、第２のレンズ２２及び第３のレンズ２３の順で設置される。白色光源１９からの光Ｌｗは、第１〜第３のレンズ２１〜２３を透過する。
【００２０】
詳しくは、第１のレンズ２１は、光透過性樹脂又は光透過性ガラスにより長方形板状に形成されている。第１のレンズ２１は、光が入射する入射面２１ｉと、第１のレンズ２１をその厚さ方向に透過した光を出射する出射面２１ｏと、を備える。第１のレンズ２１には、マトリックス状に配置された複数の凸レンズ部２１ａが形成されている。
【００２１】
図５に示すように、第１のレンズ２１の凸レンズ部２１ａは、両凸レンズ状に形成されるとともに、上述した白色光源１９と同様に２行×６列のマトリックス状に配置されている。各凸レンズ部２１ａは、各白色光源１９からの光Ｌｗを受けるように、各白色光源１９に対向して位置する。図１３に示すように、Ｘ方向から見て、各凸レンズ部２１ａの中央に各白色光源１９が位置する。各凸レンズ部２１ａは、白色光源１９から出射される光を集光するとともに、光をＸ方向に沿うように略平行化する機能を有する。
【００２２】
図２に示すように、第１のレンズ２１における入射面２１ｉ及び出射面２１ｏには、後述するようにイエローリング現象を緩和する反射防止膜２８ａ，２８ｂが形成されている。反射防止膜２８ａ，２８ｂの構成及び作用については後で詳述する。
【００２３】
第２のレンズ２２は、光透過性樹脂又は光透過性ガラスにより長方形板状に形成される。詳しくは、第２のレンズ２２は、光が入射する入射面２２ｉと、第２のレンズ２２をその厚さ方向に通過した光が出射する出射面２２ｏとを備える。
【００２４】
第２のレンズ２２の入射面２２ｉには、複数（本例では１１個）のシリンドリカルレンズ部２２ａが形成されている。第２のレンズ２２の出射面２２ｏには、複数（本例では１１個）のシリンドリカルレンズ部２２ｂが形成されている。各シリンドリカルレンズ部２２ａ，２２ｂは、第２のレンズ２２のＹ方向に沿って半円柱状に延出し、第２のレンズ２２のＺ方向に沿って配列されている。
第２のレンズ２２の入射面２２ｉは、そのシリンドリカルレンズ部２２ａによって、光をＺ方向に拡散する機能を有する。第２のレンズ２２のシリンドリカルレンズ部２２ａ，２２ｂのピッチ及び曲率半径に基づき、光の拡散角度を調整することができる。また、第２のレンズ２２の出射面２２ｏは、そのシリンドリカルレンズ部２２ｂによって、完全に平行化されていない光の拡散角度を調整する機能を有する。
【００２５】
第３のレンズ２３は、光透過性樹脂又は光透過性ガラスにより長方形板状に形成される。詳しくは、第３のレンズ２３は、光が入射する入射面２３ｉと、第３のレンズ２３の内部をその厚さ方向に通過した光が出射する出射面２３ｏと、を備える。
【００２６】
図６に示すように、第３のレンズ２３の入射面２３ｉには、複数（本例では１６個）のシリンドリカルレンズ部２３ａが形成されている。シリンドリカルレンズ部２３ａは、第３のレンズ２３のＺ方向に沿って半円柱状で延出するとともに、第３のレンズ２３のＹ方向に沿って配列されている。第３のレンズ２３の入射面２３ｉは、そのシリンドリカルレンズ部２３ａによって光をＹ方向に拡散する機能を有する。
【００２７】
第３のレンズ２３の出射面２３ｏは、後述する液晶表示パネル１８に合わせて光を拡散可能に凹トロイダル面で形成されている。すなわち、第３のレンズ２３の出射面２３ｏには、第３のレンズ２３のＺ方向及びＹ方向に沿って凹状の曲面が形成されている。第３のレンズ２３の出射面２３ｏは、後述する液晶表示パネル１８全域を照明するように光を拡散する機能を有する。
【００２８】
図２に示すように、液晶装置１１ｂは、液晶表示パネル１８と、光拡散部材１７と、第２のケース体１５と、を備える。
第２のケース体１５は、光不透過性樹脂により形成され、光拡散部材１７及び液晶表示パネル１８を保持する。第２のケース体１５は、光拡散部材１７及び液晶表示パネル１８の周囲を囲む長方形の枠状に形成されている。
【００２９】
光拡散部材１７及び液晶表示パネル１８は、それぞれＹＺ平面に沿って延出し、互いに対面する。光拡散部材１７は、第３のレンズ２３に近い位置に設けられ、液晶表示パネル１８は、Ｘ方向において凹面鏡２０に対向する位置に設けられている。
【００３０】
液晶表示パネル１８は、例えば、ＴＦＴ（Thin Film Transistor）型の液晶表示パネルにより構成される。液晶表示パネル１８は、図示しない制御部による制御のもと、その画素毎に透過状態及び不透過状態の何れかに切り替える。これにより、液晶表示パネル１８は、第３のレンズ２３を透過した光を受けて、画像に応じた表示光Ｌを出射する。
【００３１】
光拡散部材１７は、何れも図示しない、光透過性樹脂からなる基材と、この基材に形成されシボ加工された光拡散部と、を備える。
【００３２】
凹面鏡２０は、表示装置１１からの表示光Ｌを反射させつつ表示光Ｌが表す像を拡大し、その拡大した像をフロントガラス２０１に照射する。凹面鏡２０は、何れも図示しない、例えばポリカーボネート等の樹脂からなるホルダと、そのホルダに形成され例えばアルミニウム等の金属からなる反射層とを備える。
【００３３】
上記背景技術においても説明したイエローリング現象の発生原因としては主に下記の（ａ）〜（ｃ）の３つの原因が考えられる。本実施形態では、第１のレンズ２１に反射防止膜２８ａ，２８ｂが形成されることにより、イエローリング現象を緩和している。
【００３４】
（ａ）光の黄色蛍光体１９ｂの通過距離に応じた色ムラ
図３に示すように、青色光源素子１９ａの出射角度が大きくなるにつれて青色光源素子１９ａからの光が黄色蛍光体１９ｂを通過する距離Ｄが長くなり、この距離Ｄが長くなるにつれて黄色蛍光体１９ｂから出射される光Ｌｗの色が黄色に近くなる。これにより、図１２に示すように、各白色光源１９から照射される光の周縁部９０が中心部９１よりも黄色味を帯びるイエローリング現象が生じる。
【００３５】
（ｂ）白色光源１９の発光面の色ムラ
図３に示すように、青色光源素子１９ａから出射される光Ｂ１は、黄色蛍光体１９ｂ内において反射することなく黄色蛍光体１９ｂから出射される。この光Ｂ１は白色光となる。一方、青色光源素子１９ａから出射される光Ｂ２は、黄色蛍光体１９ｂ内において黄色蛍光体１９ｂの出射面、収容凹部１９ｄの側面及び底面等に反射したうえで黄色蛍光体１９ｂから出射される。この光Ｂ２は、光Ｂ１よりも黄色蛍光体１９ｂから出射するまでの光路が長くなるため黄色光となる。
図４に示すように、白色光源１９の発光面１９ｓは、白色光である光Ｂ１が出射される白色領域１９ｗと、白色領域１９ｗの外周に形成され、黄色光である光Ｂ２が出射される黄色領域１９ｙとに分かれる。これにより、図１２に示すように、各白色光源１９から照射される光の周縁部９０が中心部９１よりも黄色味を帯びるイエローリング現象が生じる。
【００３６】
（ｃ）レンズによる光の分散
レンズの内部を通過する光は、その光の波長に応じて屈折率が異なるため、光の波長毎に光路が異なる。この光の性質を光の分散と呼ぶ。これにより、図８に示すように、白色光源１９からの光Ｌｗが本実施形態と異なり反射防止膜２８ａ，２８ｂが形成されない凸レンズ部１２１ａに入射すると、この光Ｌｗのうち赤色波長成分Ｌｒ及び緑色波長成分Ｌｇは、青色波長成分Ｌｂに比べて、凸レンズ部１２１ａの周縁部に向かう。このため、凸レンズ部１２１ａの周縁部が赤色波長成分Ｌｒ及び緑色波長成分Ｌｇにより形成される黄色となるイエローリング現象が生じる。
以上、イエローリング現象の発生原因の説明を終了する。
【００３７】
次に、図７を参照しつつ、反射防止膜２８ａ，２８ｂの構成及び作用について説明する。
第１のレンズ２１の入射面２１ｉには反射防止膜２８ａが形成され、第１のレンズ２１の出射面２１ｏには反射防止膜２８ｂが形成されている。
反射防止膜２８ａ，２８ｂは、図７及び図１１に示すように、白色光源１９からの光Ｌｗの第１のレンズ２１の入射面２１ｉへの入射角度αが大きくなるにつれて、光Ｌｗのうち赤色波長成分Ｌｒ及び緑色波長成分Ｌｇの反射率が光Ｌｗのうち青色波長成分Ｌｂの反射率に対して増加する性質を有する誘導体多層膜からなる。一例として、赤色波長成分Ｌｒは６１０ｎｍの波長を有し、緑色波長成分Ｌｇは５６０ｎｍの波長を有し、青色波長成分Ｌｂは４７０ｎｍの波長を有する。
【００３８】
図７に示すように、光Ｌｗの入射角度αは、光Ｌｗの入射光線方向と第１のレンズ２１の入射面２１ｉの法線方向とがなす角度である。よって、光Ｌｗの入射角度αが大きくなるほど、凸レンズ部２１ａの中心から周縁部に近くなる。このため、上述した反射防止膜２８ａ，２８ｂの性質により、光Ｌｗの入射角度αが大きくなる位置、すなわち凸レンズ部２１ａの周縁部において、反射防止膜２８ａ，２８ｂにより赤色波長成分Ｌｒ及び緑色波長成分Ｌｇが凸レンズ部２１ａにおいて反射され易く、かつ透過しづらくなる。この結果、凸レンズ部２１ａの周縁部において赤色波長成分Ｌｒ及び緑色波長成分Ｌｇにより生成される黄色の光強度が低下し、イエローリング現象を緩和することができる。
【００３９】
上述した反射防止膜２８ａ，２８ｂの性質を実現するために、誘導体多層膜において生じるいわゆるブルーシフトという現象を利用している。このブルーシフトは、図１０に模式的に示すように、光Ｌｗの入射角度αが大きくなるにつれて、反射率が最小となる波長Ｐが短波長側へ、すなわち青側へシフトすることを言う。図１０の例では、第１の入射角度α１の場合、図１０の実線で示す曲線Ｃ１により波長に対する反射率が示され、第１の入射角度α１よりも大きい第２の入射角度α２の場合、図１０の破線で示す曲線Ｃ２により波長に対する反射率が示される。これにより、光Ｌｗの入射角度αが大きくなる位置、すなわち凸レンズ部２１ａの周縁部において、青色波長成分Ｌｂの反射率を赤色波長成分Ｌｒ及び緑色波長成分Ｌｇの反射率に対して小さく、言い換えると、赤色波長成分Ｌｒ及び緑色波長成分Ｌｇの反射率を青色波長成分Ｌｂの反射率に対して大きくすることができる。このため、上述のように、イエローリング現象を緩和することができる。
【００４０】
一例として、反射防止膜２８ａ，２８ｂは、図９に示すように、入射角度αが５°以下における一面あたりの反射率が、波長４５０〜６４０ｎｍの範囲において１％以下かつ波長４００〜７００ｎｍの範囲において２％以下となる分光特性を有する誘電体多層膜が好ましい。また、反射防止膜２８ａ，２８ｂは、図９に示すように、入射角度αが５°以下における一面あたりの反射率の比率が、波長４５０〜６４０ｎｍの範囲を１としたとき、波長４００〜７００ｎｍの範囲が２となる分光特性を有する誘電体多層膜が好ましい。これにより、イエローリング現象を緩和することができる。なお、この分光特性は一例であり、イエローリング現象を緩和することができれば、反射防止膜２８ａ，２８ｂはこの分光特性とは異なる分光特性を有していてもよい。
【００４１】
（効果）
以上、説明した一実施形態によれば、以下の効果を奏する。
【００４２】
（１）ＨＵＤ装置１０は、白色光源１９と、白色光源１９からの光Ｌｗが透過する第１のレンズ２１と、第１のレンズ２１に形成され、光Ｌｗの第１のレンズ２１への入射角度αが大きくなるにつれて、光Ｌｗに含まれる赤色波長成分Ｌｒ及び緑色波長成分Ｌｇの反射率を光Ｌｗに含まれる青色波長成分Ｌｂの反射率に対して増加させる誘電体多層膜である反射防止膜２８ａ，２８ｂと、を備える。
この構成によれば、反射防止膜２８ａ，２８ｂにより、図１２に示すイエローリング現象における周縁部９０の黄色光を形成する赤色波長成分Ｌｒ及び緑色波長成分Ｌｇの反射率が青色波長成分Ｌｂの反射率に対して増加される。これにより、赤色波長成分Ｌｒ及び緑色波長成分Ｌｇの光強度が弱まり、周縁部９０の色を中心部９１の色に近づけることができる。よって、イエローリング現象を緩和することができる。
また、反射防止膜２８ａ，２８ｂを第１のレンズ２１に形成するだけなので、イエローリング現象を緩和するために、新たなレンズ等の光学素子を追加する必要がなく、簡易な構成により、イエローリング現象を緩和することができる。
【００４３】
（２）ＨＵＤ装置１０は、第１のレンズ２１を含む第１〜第３のレンズ２１〜２３を備え、反射防止膜２８ａ，２８ｂが形成される第１のレンズ２１は、第１〜第３のレンズ２１〜２３のうち白色光源１９に最も近い位置に設けられる。
この構成によれば、イエローリング現象をより緩和することができる。
【００４４】
（３）白色光源１９は、青色光を出射する青色光源素子１９ａと、青色光源素子１９ａからの青色光が透過することにより白色光を生成する黄色蛍光体１９ｂと、を備える。
この種の白色光源１９が採用される場合、上述したイエローリング現象の発生原因の（ａ）及び（ｂ）により、イエローリング現象が顕著となりやすい。よって、この状況において、反射防止膜２８ａ，２８ｂによりイエローリング現象を緩和することは特に有益である。
【００４５】
（４）第１のレンズ２１は、互いに隣接して配置される複数の凸レンズ部２１ａを備え、複数の白色光源１９は、それぞれ複数の凸レンズ部２１ａに対向して位置する。
仮に第１のレンズ２１に反射防止膜２８ａ，２８ｂが形成されない場合、上述したイエローリング現象により、図１３に示すように、各凸レンズ部２１ａから出射した光の周縁部２１ｏが光の中心部２１ｃよりも黄色味を帯びる。白色光源１９が凸レンズ部２１ａに対応してマトリックス状に配置される場合、凸レンズ部２１ａの数だけ黄色味を帯びた周縁部２１ｏが形成され、さらに互いに隣り合う周縁部２１ｏの少なくとも一部が重なり合うことにより黄色味が増すことも想定される。このように、イエローリング現象が目立ちやすい構成を有するＨＵＤ装置１０において、反射防止膜２８ａ，２８ｂによりイエローリング現象を緩和することは特に有益である。
【００４６】
（５）ＨＵＤ装置１０は、第１〜第３のレンズ２１〜２３を経た白色光源１９からの光Ｌｗにより照明されることにより表示光Ｌを出射する液晶表示パネル１８と、表示光Ｌを投射部材の一例であるフロントガラス２０１に向けて反射する凹面鏡２０と、を備える。
凹面鏡２０は、イエローリング現象に伴い黄色味を帯びた周縁部２１ｏを含む光を拡大したうえで虚像Ｖとして表示する。このように、ＨＵＤ装置１０は、イエローリング現象によって虚像Ｖの視認性が低下しやすい構成であるため、反射防止膜２８ａ，２８ｂによりイエローリング現象を緩和することは特に有益である。
【００４７】
（６）反射防止膜２８ａ，２８ｂは、それぞれ第１のレンズ２１の入射面２１ｉ及び出射面２１ｏに形成される、
この構成によれば、入射面２１ｉの反射防止膜２８ａと出射面２１ｏの反射防止膜２８ｂの２箇所にて、青色波長成分Ｌｂに比べて高い反射率で赤色波長成分Ｌｒ及び緑色波長成分Ｌｇが反射される。このため、反射防止膜を第１のレンズ２１の入射面２１ｉ及び出射面２１ｏの何れか一方に形成した場合に比べて、イエローリング現象をより緩和することができる。
【００４８】
（変形例）
なお、上記各実施形態は、これを適宜変更した以下の形態にて実施することができる。
【００４９】
上記実施形態においては、第１のレンズ２１に反射防止膜２８ａ，２８ｂが形成されていたが、反射防止膜が形成されるレンズは第１のレンズ２１に限らず、第２のレンズ２２又は第３のレンズ２３であってもよい。また、第１〜第３のレンズ２１〜２３のうち何れか２つに反射防止膜が形成されてもよいし、第１〜第３のレンズ２１〜２３の全てに反射防止膜が形成されてもよい。
【００５０】
上記実施形態においては、第１のレンズ２１の入射面２１ｉ及び出射面２１ｏに反射防止膜２８ａ，２８ｂが形成されていたが、２つの反射防止膜２８ａ，２８ｂの何れか一方を省略してもよい。第１のレンズ２１以外のレンズに反射防止膜を形成する場合も、入射面と出射面の何れかに反射防止膜を形成してもよいし、入射面と出射面の両方に反射防止膜を形成してもよい。入射面と出射面の何れかに反射防止膜を形成する場合は、出射面に形成することが好ましい。
【００５１】
上記実施形態では、白色光源１９は表面実装型の白色ＬＥＤであったが、これに限らず、砲弾型、チップオンボード型等の他の種類のＬＥＤであってもよい。さらに、白色光源１９は、ＬＥＤであったが、その他白熱電球等の光源であってもよい。白色光源１９として表面実装型の白色ＬＥＤ以外の種類が採用された場合であっても、少なくとも上述したイエローリング現象の発生原因の（ｃ）の原因によりイエローリングが発生する。
【００５２】
上記実施形態においては、ＨＵＤ装置１０及び照明装置１１ａは、第１〜第３のレンズ２１〜２３を備えていたが、第２のレンズ２２及び第３のレンズ２３を省略してもよい。また、光拡散部材１７を省略してもよい。
【００５３】
上記実施形態における第１〜第３のレンズ２１〜２３の形状は適宜変更可能である。例えば、第２のレンズ２２の出射面２２ｏに形成されるシリンドリカルレンズ部２２ｂを省略し、その出射面２２ｏを平面状に形成してもよい。第３のレンズ２３の出射面は凸レンズ形状、自由曲面形状、単純球面形状、シリンドリカル面形状又は非球面形状であってもよい。第１のレンズ２１の凸レンズ部２１ａは、両凸レンズ状に形成されていたが、平凸レンズ状、フレネルレンズ状で形成してもよい。
【００５４】
上記実施形態における凹面鏡２０を省略してもよい。この場合、表示装置１１からの表示光Ｌが直接に投射部材（例えば、フロントガラス２０１）に照射されてもよい。
また、ＨＵＤ装置１０は、表示装置１１からの表示光Ｌを凹面鏡２０に向けて反射させる平面鏡等からなるリレー部材を備えていてもよい。
【００５５】
上記実施形態では、ＨＵＤ装置１０は、車両２００に搭載されていたが、車両以外の飛行機、船等の乗り物に搭載されてもよい。また、ＨＵＤ装置１０は、表示光Ｌをフロントガラス２０１に照射していたが、表示光Ｌを投射部材として専用のコンバイナに照射してもよい。
【００５６】
上記実施形態における液晶表示パネル１８はＴＦＴ型に限らず、セグメント型であってもよい。
【符号の説明】
【００５７】
１  視認者
１０  ヘッドアップディスプレイ装置，ＨＵＤ装置
１１  表示装置
１１ａ  照明装置
１１ｂ  液晶装置
１４  第１のケース体
１５  第２のケース体
１６  回路基板
１７  光拡散部材
１８  液晶表示パネル
１９  白色光源
１９ａ  青色光源素子
１９ｂ  黄色蛍光体
１９ｃ  パッケージ
１９ｄ  収容凹部
２０  凹面鏡
２１  第１のレンズ
２１ａ，１２１ａ  凸レンズ部
２１ｉ，２２ｉ，２３ｉ  入射面
２１ｏ，２２ｏ，２３ｏ  出射面
２２  第２のレンズ
２３  第３のレンズ
２８ａ，２８ｂ  反射防止膜
α  入射角度
Ｌｂ  青色波長成分
Ｌｇ  緑色波長成分
Ｌｒ  赤色波長成分
【図１】
2019087912.tif 000003
【図２】
2019087912.tif 000004
【図３】
2019087912.tif 000005
【図４】
2019087912.tif 000006
【図５】
2019087912.tif 000007
【図６】
2019087912.tif 000008
【図７】
2019087912.tif 000009
【図８】
2019087912.tif 000010
【図９】
2019087912.tif 000011
【図１０】
2019087912.tif 000012
【図１１】
2019087912.tif 000013
【図１２】
2019087912.tif 000014
【図１３】
2019087912.tif 000015
【国際調査報告】
2019087912.tif 000016
2019087912.tif 000017
2019087912.tif 000018